(57)【要約】【課題】溶接対象物への溶接施工を溶接条件に応じて制御する溶接制御装置を提供する。【解決手段】溶接制御装置は、溶接対象物の溶接に用いられる溶接ワイヤ、又は溶接ワイヤを溶融させるための電極の少なくとも一方を含む位置制御対象の位置を制御するように構成された溶接制御装置であって、少なくとも位置制御対象を含むように撮影した撮影画像から検出される溶接特徴量であって、前記溶接ワイヤのワイヤ位置または電極の電極位置の少なくとも一方を含む溶接特徴量に基づいて位置制御対象の実位置を決定する実位置決定部と、溶接対象物を溶接する際の溶接条件に応じた実位置の目標である目標位置を決定する目標位置決定部と、実位置を目標位置にするための位置制御対象の位置制御を実行する位置制御部と、を備える。【選択図】  図３Ａ
2019188437.tif 000002
【特許請求の範囲】
【請求項１】
溶接対象物の溶接に用いられる溶接ワイヤ、又は前記溶接ワイヤを溶融させるための電極の少なくとも一方を含む位置制御対象を制御するように構成された溶接制御装置であって、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定する実位置決定部と、
前記溶接対象物を溶接する際の溶接条件に応じた前記実位置の目標である目標位置を決定する目標位置決定部と、
前記実位置を前記目標位置にするための前記位置制御対象の位置制御を実行する位置制御部と、を備えることを特徴とする溶接制御装置。
【請求項２】
前記撮影画像は、前記溶接ワイヤが溶融されることにより前記溶接対象物の開先に形成される溶融池又は前記開先の少なくとも一方をさらに含み、
前記溶接特徴量は、前記開先の開先位置、または前記溶融池の溶融池位置の少なくとも一方をさらに含み、
前記実位置は、前記ワイヤ位置または前記電極位置の少なくとも一方と、前記開先位置または前記溶融池位置との相対位置である実相対位置を含み、
前記目標位置は、前記溶接対象物を溶接する際の溶接条件に応じた前記相対位置の目標である目標相対位置を含むことを特徴とする請求項１に記載の溶接制御装置。
【請求項３】
前記目標位置決定部は、
前記溶接条件を取得する溶接条件取得部と、
過去に行われた溶接時の過去溶接条件と該過去溶接条件下で設定された前記実位置である過去位置との関係性に基づいて、前記溶接条件に応じた前記目標位置を決定する条件ベース目標決定部と、を有することを特徴とする請求項１または２に記載の溶接制御装置。
【請求項４】
前記条件ベース目標決定部は、前記過去溶接条件と、該過去溶接条件下で設定された前記過去位置とを対応付けた複数のデータを機械学習することにより得られる学習モデルを用いて、前記溶接条件に応じた前記目標位置を決定することを特徴とする請求項３に記載の溶接制御装置。
【請求項５】
前記目標位置決定部は、
過去に行われた溶接時の過去溶接条件の下で行われた前記溶接時における過去溶接特徴量と、前記過去溶接特徴量の相対位置である過去位置との関係性に基づいて、前記溶接特徴量から前記溶接条件に応じた前記目標位置を決定する位置ベース目標決定部を有することを特徴とする請求項２に記載の溶接制御装置。
【請求項６】
前記目標位置決定部は、前記過去溶接特徴量と、前記過去位置とを対応付けた複数のデータを機械学習することにより得られる学習モデルを用いて、前記溶接特徴量から前記溶接条件に応じた前記目標位置を決定することを特徴とする請求項５に記載の溶接制御装置。
【請求項７】
前記目標位置決定部は、前記学習モデルを用いて作成された、前記溶接特徴量に対する前記目標位置を求めるための関数またはテーブルを用いて、前記溶接特徴量から前記溶接条件に応じた前記目標位置を決定することを特徴とする請求項４または６に記載の溶接制御装置。
【請求項８】
前記目標位置と前記実位置との差異に基づいて、前記位置制御対象の位置制御の要否を判定する位置制御要否判定部を、さらに備え、
前記位置制御部は、前記位置制御要否判定部による判定結果に応じて、前記位置制御対象の位置制御を実行することを特徴とする請求項２〜７のいずれか１項に記載の溶接制御装置。
【請求項９】
前記位置制御要否判定部は、前記実位置と前記目標位置との差異が、過去に行われた溶接時の過去溶接特徴量と、該過去溶接特徴量に関連する前記位置制御対象の操作有無とが対応付けられた複数の操作履歴データに基づいて定められた所定の範囲を逸脱した場合に、前記位置制御対象の位置制御を必要と判定することを特徴とする請求項８に記載の溶接制御装置。
【請求項１０】
前記実位置決定部は、
前記撮影画像を撮像する撮影部から前記撮影画像を取得する撮影画像取得部と、
所定の制御周期毎に、前記撮影画像から前記溶接特徴量を検出する溶接特徴量検出部と、
前記溶接特徴量に基づいて前記実位置を算出する算出部と、を有することを特徴とする請求項１〜９のいずれか１項に記載の溶接制御装置。
【請求項１１】
前記実位置決定部は、
前記溶接特徴量検出部による前記制御周期毎の前記溶接特徴量の検出異常を判定する検出異常判定部を、さらに有し、
前記検出異常が生じていないと判定された前記制御周期である正常制御周期では、該正常制御周期に取得された前記撮影画像から検出される前記溶接特徴量に基づいて前記実位置を算出し、
前記検出異常が生じたと判定された前記制御周期である異常制御周期では、該異常制御周期より前の前記正常制御周期に取得された前記撮影画像から検出される前記溶接特徴量に基づいて前記実位置を算出することを特徴とする請求項１０に記載の溶接制御装置。
【請求項１２】
前記溶接特徴量検出部は、前記制御周期毎に取得される複数の前記撮影画像から前記溶接特徴量を検出するよう構成されており、
前記検出異常判定部は、前記制御周期毎に取得される前記複数の撮影画像から前記溶接特徴量が検出されない場合に前記検出異常が生じたと判定することを特徴とする請求項１１に記載の溶接制御装置。
【請求項１３】
前記実位置決定部は、
前記異常制御周期では、該異常制御周期から前記溶接特徴量に応じて定められた所定期間だけ前の期間内に前記正常制御周期が存在しない場合に、該異常制御周期における前記実位置の決定を行わないことを特徴とする請求項１２に記載の溶接制御装置。
【請求項１４】
前記検出異常判定部は、前記異常制御周期の後の最初の前記正常制御周期までの期間が、前記溶接特徴量に応じて定められた所定期間を超えた場合に通知することを特徴とする請求項１１〜１３のいずれか１項に記載の溶接制御装置。
【請求項１５】
前記検出異常判定部は、前記溶接対象物の溶接を停止させるための命令を前記溶接実行装置に送信することを特徴とする請求項１４に記載の溶接制御装置。
【請求項１６】
前記溶接の不具合事象を検出した場合に、前記目標位置決定部によって決定された前記目標位置を補正する目標位置補正部を、さらに備えることを特徴とする請求項１〜１５のいずれか１項に記載の溶接制御装置。
【請求項１７】
前記溶接特徴量は、前記ワイヤ位置および前記溶融池の溶融池位置を含み、
前記位置制御対象は、前記溶接ワイヤであることを特徴とする請求項２〜１６のいずれか１項に記載の溶接制御装置。
【請求項１８】
前記溶接条件は、電極電流、電極電圧、溶接速度、前記溶接ワイヤの単位時間当たりの供給量、開先幅のうちの少なくとも１つの条件を含むことを特徴とする請求項１〜１７のいずれか１項に記載の溶接制御装置。
【請求項１９】
前記溶接条件は複数の条件を含み、
前記目標位置決定部は、前記溶接条件のうちの少なくとも２つの前記条件を１つに集約した集約条件を含む前記溶接条件に応じた前記目標位置を決定する請求項１〜１８のいずれか１項に記載の溶接制御装置。
【請求項２０】
溶接対象物の溶接に用いられる溶接ワイヤ、又は前記溶接ワイヤを溶融させるための電極の少なくとも一方を含む位置制御対象を制御するように構成された溶接制御方法であって、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定するステップと、
前記溶接対象物を溶接する際の溶接条件に応じた前記実値の目標である目標位置を決定するステップと、
前記実位置を前記目標位置にするための前記位置制御対象の位置制御を実行するステップと、を備えることを特徴とする溶接制御方法。
【請求項２１】
前記撮影画像は、前記溶接ワイヤが溶融されることにより前記溶接対象物の開先に形成される溶融池又は前記開先の少なくとも一方をさらに含み、
前記溶接特徴量は、前記開先の開先位置、または前記溶融池の溶融池位置の少なくとも一方をさらに含み、
前記実位置は、前記ワイヤ位置または前記電極位置の少なくとも一方と、前記開先位置または前記溶融池位置との相対位置である実相対位置を含み、
前記目標位置は、前記溶接対象物を溶接する際の溶接条件に応じた前記相対位置の目標である目標相対位置を含むことを特徴とする請求項２０に記載の溶接制御方法。
【請求項２２】
溶接対象物の溶接に用いられる溶接ワイヤ、又は前記溶接ワイヤを溶融させるための電極の少なくとも一方を含む位置制御対象を制御するように構成された溶接制御プログラムであって、
コンピュータに、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定する実位置決定部と、
前記溶接対象物を溶接する際の溶接条件に応じた前記実位置の目標である目標位置を決定する目標位置決定部と、
前記実位置を前記目標位置にするための前記位置制御対象の位置制御を実行する位置制御部と、を実現させるため溶接制御プログラム。
【発明の詳細な説明】
【技術分野】
【０００１】
本開示は、アーク溶接の自動化のための溶接制御に関する。
【背景技術】
【０００２】
溶接ワイヤを溶融池に連続的に供給しながら非消耗式電極を用いて施工する自動アーク溶接では、溶接対象物の開先（壁面）と電極との相対位置、溶接ワイヤが溶融池に挿入される位置と電極および溶融池との相対位置を適正に保つ必要がある。例えば、原子力発電プラント機器の溶接部といった高い溶接品質を確保する必要がある場合などには、溶接士は、直接またはカメラを用いて撮影した撮影画像を通して自動溶接施工を監視し、溶接ワイヤや電極が適正位置からずれた場合にはその調整のための介入操作を実施する。そして、このような溶接士による監視調整作業を自動で行うことが可能となれば、溶接作業の無人化など、溶接士技能への依存の低減が図れる。
【０００３】
上記のような監視調整作業の自動化のための技術としては、例えば特許文献１がある。特許文献１には、自動溶接装置は、溶接部分の画像を撮像し、画像の輝度差に基づいて溶融池の位置を求める。そして、この自動溶接装置は、開先内における溶融池の左端位置と開先表層部における溶融池の左端位置との差、及び、開先内における溶融池の右端位置と開先表層部における溶融池の右端位置との差に基づいて、左右方向における溶接ワイヤの先端位置を調節し、開先表層部における溶接線倣いを制御することが開示されている。なお、特許文献２には、アーク溶接に関する物理量と溶接条件との関係性を学習することにより、適切な溶接条件を自動的に作成することが開示されている。
【先行技術文献】
【特許文献】
【０００４】
【特許文献１】特許第３４０８７４９号公報
【特許文献２】特開２０１７−３００１４号公報
【発明の概要】
【発明が解決しようとする課題】
【０００５】
特許文献１に記載の技術によれば、消耗式電極を用いる自動溶接装置にて、溶接線倣いを行って溶接を高精度に行うことができるが、非消耗式電極を用いる自動溶接装置では、電極と溶接ワイヤとが別々に設けられている点で制御がより複雑になる。
【０００６】
この点、本発明者らは、カメラなどで撮影した溶接時の画像から電極、溶接ワイヤ、開先、溶融池の相対関係を認識し、それぞれの相対関係について目標位置に対するずれ量を求め、ずれ量が例えばゼロとなるように、電極と溶接ワイヤの位置制御を行う手法を考えた。この際、自動アーク溶接では、溶接条件（ワイヤ供給量、溶接速度、溶接電流など）により溶接時の入熱状態が変化すると共に、入熱状態に応じて溶接状態が変化する。よって、溶接条件の違いに応じて、上記の目標位置を決定する必要があることを見出した。例えば、溶接ワイヤと溶融池の相対距離が一定となるよう制御してしまうと、溶接条件の変化により溶融池が小さくなった場合、溶融池の変化量に応じて溶接ワイヤを電極に近づける方向に移動させることになるが、この場合には、電極と溶接ワイヤとが接触する虞がある。
【０００７】
上述の事情に鑑みて、本発明の少なくとも一実施形態は、溶接対象物への溶接施工を溶接条件に応じて制御する溶接制御装置を提供することを目的とする。
【課題を解決するための手段】
【０００８】
（１）本発明の少なくとも一実施形態に係る溶接制御装置は、
溶接対象物の溶接に用いられる溶接ワイヤ、又は前記溶接ワイヤを溶融させるための電極の少なくとも一方を含む位置制御対象を制御するように構成された溶接制御装置であって、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定する実位置決定部と、
前記溶接対象物を溶接する際の溶接条件に応じた前記実位置の目標である目標位置を決定する目標位置決定部と、
前記実位置を前記目標位置にするための前記位置制御対象の位置制御を実行する位置制御部と、を備える。
【０００９】
上記（１）の構成によれば、溶接条件に応じて、溶接ワイヤの位置または電極の位置などの位置制御対象の目標（目標位置）を決定する。そして、溶接実行装置による溶接状況を撮影画像の画像処理を通して得られる実際の位置制御対象の位置が目標になるように、溶接実行装置に対する制御を行う。例えば位置制御対象の実位置は、撮影画像から検出される実際の位置であって、例えば撮影画像に設定される座標系における位置（絶対位置）や、位置制御対象の位置となるワイヤ位置、電極位置の、他の溶接特徴量（後述する溶融池位置や開先位置など）との相対位置などである。これによって、溶接士が行う場合と同等の溶接品質のアーク溶接を自動で行うことができ、溶接士技能への依存を低減した自動溶接を実現することができる。
【００１０】
（２）幾つかの実施形態では、上記（１）の構成において、
前記撮影画像は、前記溶接ワイヤが溶融されることにより前記溶接対象物の開先に形成される溶融池又は前記開先の少なくとも一方をさらに含み、
前記溶接特徴量は、前記開先の開先位置、または前記溶融池の溶融池位置の少なくとも一方をさらに含み、
前記実位置は、前記ワイヤ位置または前記電極位置の少なくとも一方と、前記開先位置または前記溶融池位置との相対位置である実相対位置を含み、
前記目標位置は、前記溶接対象物を溶接する際の溶接条件に応じた前記相対位置の目標である目標相対位置を含む。
【００１１】
上記（２）の構成によれば、溶接条件に応じて、例えば溶接ワイヤの位置と溶融池の位置との相対位置などの溶接特徴量に含まれるいずれか２つ相対位置の目標（目標相対位置）を決定する。そして、溶接実行装置による溶接状況を撮影画像の画像処理を通して得られる実際の相対位置（実相対位置）が目標になるように、溶接実行装置に対する制御を行う。これによって、溶接士が行う場合と同等の溶接品質のアーク溶接を自動で行うことができ、溶接士技能への依存を低減した自動溶接を実現することができる。
【００１２】
（３）幾つかの実施形態では、上記（１）〜（２）の構成において、
前記目標位置決定部は、
前記溶接条件を取得する溶接条件取得部と、
過去に行われた溶接時の過去溶接条件と該過去溶接条件下で設定された前記実位置である過去位置との関係性に基づいて、前記溶接条件に応じた前記目標位置を決定する条件ベース目標決定部と、を有する。
上記（３）の構成によれば、溶接士が例えば溶接ワイヤなどの位置制御対象を操作した結果として得られる、位置制御対象の絶対位置、あるいは溶接ワイヤと溶融池との相対位置といった溶接特徴量のうちのいずれか２つ相対位置などとなるの実位置の実績と、その際の溶接条件との対応関係を蓄積して学習（機械学習）すると共に、この学習結果を用いて、溶接条件から直接、目標位置を求める。これによって、目標位置を適切に決定することができる。また、こうして決定された目標位置を位置制御に用いることにより、溶接士が行う場合と同等の溶接品質を実現することができる。
【００１３】
（４）幾つかの実施形態では、上記（３）の構成において、
前記条件ベース目標決定部は、前記過去溶接条件と、該過去溶接条件下で設定された前記過去位置とを対応付けた複数のデータを機械学習することにより得られる学習モデルを用いて、前記溶接条件に応じた前記目標位置を決定する。
上記（４）の構成によれば、機械学習を通して作成される学習モデルを用いて、溶接条件から、それに応じた目標位置を適切に決定することができる。
【００１４】
（５）幾つかの実施形態では、上記（２）の構成において、
前記目標位置決定部は、
過去に行われた溶接時の過去溶接条件の下で行われた前記溶接時における過去溶接特徴量と、前記過去溶接特徴量の相対位置である過去位置との関係性に基づいて、前記過去溶接特徴量から前記溶接条件に応じた前記目標位置を決定する位置ベース目標決定部を有する。
【００１５】
溶接条件が変われば溶接時の入熱条件（入熱状態）が変わるなどするため、溶接条件に応じて適切な溶接ワイヤや電極といった位置制御対象の位置が変わる。溶接士の操作は、このような溶接条件に応じて異なる溶接施工状態の視覚情報を主体に溶接品質を確保するための特徴点（溶接ワイヤや溶融池の位置など）を認識し、経験に基づきワイヤ位置や電極などを操作することで、高品質な溶接を達成している。このような知見の下、溶接士が行った操作には溶接条件の違いが反映されており、溶接条件に代えて、溶接士の操作履歴から目標位置を求めることが可能と考えた。
【００１６】
上記（５）の構成によれば、過去において、溶接士が溶接ワイヤなどの位置制御対象を操作した結果として得られる溶融池の位置および溶接ワイヤの位置などの溶接特徴量の実績と、その結果から得られる相対位置の実績との関係性を学習すると共に、この学習結果に基づいて、溶融池の位置および溶接ワイヤの位置などの溶接特徴量から目標相対位置を求める。これによって、目標相対位置を適切に決定することができる。また、未だ経験していない溶接条件に対しても、容易に対応することができる。また、こうして決定された目標相対位置を位置制御に用いることにより、溶接士が行う場合と同等の溶接品質を実現することができる。
【００１７】
（６）幾つかの実施形態では、上記（５）の構成において、
前記目標位置決定部は、前記過去溶接特徴量と、前記過去位置とを対応付けた複数のデータを機械学習することにより得られる学習モデルを用いて、前記溶接特徴量から前記溶接条件に応じた前記目標位置を決定する。
上記（６）の構成によれば、機械学習を通して作成される学習モデルを用いて、溶接特徴量から、それに応じた目標位置を適切に決定することができる。
【００１８】
（７）幾つかの実施形態では、上記（４）、（６）の構成において、
前記目標位置決定部は、前記学習モデルを用いて作成された、前記溶接条件または前記溶接特徴量に対応する前記目標位置を求めるための目標値変換手段を用いて、前記溶接条件または前記溶接特徴量から前記溶接条件に応じた前記目標位置を決定する。
上記（７）の構成によれば、計算量を抑制しつつ、溶接条件に応じた目標相対位置を算出することができる。
【００１９】
（８）幾つかの実施形態では、上記（２）〜（７）の構成において、
前記目標位置と前記実位置との差異に基づいて、前記位置制御対象の位置制御の要否を判定する位置制御要否判定部を、さらに備え、
前記位置制御部は、前記位置制御要否判定部による判定結果に応じて、前記位置制御対象の位置制御を実行する。
【００２０】
上記（８）の構成によれば、目標位置と実位置との差異に基づいて、位置制御対象の位置制御を実行する。溶接士の操作を解析すると、溶接士は、経験に基づいて、例えば溶接時に溶接ワイヤと溶融池との相対位置の差異が大きくなり過ぎた場合など、目標相対位置と実相対位置との差異が所定の範囲を逸脱した場合には、その差異を修正するための操作を行っている。よって、目標位置と実位置との差異が所定の範囲に収まっている場合には、目標位置と実位置とに差異が生じている場合であっても溶接ワイヤの位置制御を実行しないようにする（制御不感帯を設定する）。これによって、少ない操作回数で溶接士と同等の溶接を行うことができる。
【００２１】
（９）幾つかの実施形態では、上記（８）の構成において、
前記位置制御要否判定部は、前記実位置と前記目標位置との差異が、過去に行われた溶接時の過去溶接特徴量と、該過去溶接特徴量に関連する前記位置制御対象の操作有無とが対応付けられた複数の操作履歴データに基づいて定められた所定の範囲を逸脱した場合に、前記位置制御対象の位置制御を必要と判定する。
上記（９）の構成によれば、位置制御対象の位置制御の実行の要否を判定するための範囲を、溶接士が行った溶接ワイヤの位置の操作有無と、過去溶融池位置および過去ワイヤ位置との関係といった、位置制御対象と過去溶接特徴量との関係に基づいて決定する。これによって、上記の閾値を適切に設定することができ、少ない操作回数で溶接士と同等の溶接を自動で行うことができる。
【００２２】
（１０）幾つかの実施形態では、上記（１）〜（９）の構成において、
前記実位置決定部は、
前記撮影画像を撮像する撮影部から前記撮影画像を取得する撮影画像取得部と、
所定の制御周期毎に、前記撮影画像から前記溶接特徴量を検出する溶接特徴量検出部と、
前記溶接特徴量に基づいて前記実位置を算出する算出部と、を有する。
【００２３】
上記（１０）の構成によれば、溶接時の溶接箇所を撮影する撮影部から撮影画像を取得すると共に、所定の制御周期毎に取得した撮影画像（１又は複数）を画像処理することにより検出した溶接特徴量に基づいて実置を算出する。これによって、溶接時の撮影画像を逐次画像処理することにより、実位置を逐次算出することができる。
【００２４】
（１１）幾つかの実施形態では、上記（１０）の構成において、
前記実位置決定部は、
前記溶接特徴量検出部による前記制御周期毎の前記溶接特徴量の検出異常を判定する検出異常判定部を、さらに有し、
前記検出異常が生じていないと判定された前記制御周期である正常制御周期では、該正常制御周期に取得された前記撮影画像から検出される前記溶接特徴量に基づいて前記実位置を算出し、
前記検出異常が生じたと判定された前記制御周期である異常制御周期では、該異常制御周期より前の前記正常制御周期に取得された前記撮影画像から検出される前記溶接特徴量に基づいて前記実位置を算出する。
【００２５】
例えば、溶接条件により定まる入熱量が小さすぎると撮影画像が暗くなり過ぎてしまい、逆に、入熱量が大きすぎると、撮影画像が明るくなり過ぎてしまうなどに起因して、画像処理によって溶接特徴量が検出できなかったり、間違って検出されたりするなど、溶接特徴量が適切に検出できない場合が有り得る。
【００２６】
上記（１１）の構成によれば、撮影画像からの溶接特徴量の検出が適切になされなかった場合には、例えば直前などの正常制御周期に取得された撮影画像から検出した溶接特徴量（代替特徴量）を代わりに用いて実位置を算出するなどして、検出異常が生じていないと判定されていた撮影画像に基づく実位置を用いるようにする。これによって、溶接を継続して実行することができる。また、検出異常が生じている溶接特徴量に基づいて溶接が制御されるような事態を防止することができ、溶接対象物や溶接実行装置の損傷を防止し、溶接制御装置の信頼性を向上させることができる。
【００２７】
（１２）幾つかの実施形態では、上記（１１）の構成において、
前記溶接特徴量検出部は、前記制御周期毎に取得される複数の前記撮影画像から前記溶接特徴量を検出するよう構成されており、
前記検出異常判定部は、前記制御周期毎に取得される前記複数の撮影画像から前記溶接特徴量が検出されない場合に前記検出異常が生じたと判定する。
上記（１２）の構成によれば、制御周期毎に複数の撮影画像が取得されるようになっており、複数の撮影画像に基づいて、溶接特徴量の検出およびその検出異常の判定を含む位置制御の全体がなされる。これによって、位置制御対象の位置制御を適切に行いつつ、撮影画像毎に位置制御のための処理を行うことによる処理負荷の低減を図ることができる。
【００２８】
（１３）幾つかの実施形態では、上記（１２）の構成において、
前記位置決定部は、
前記異常制御周期では、該異常制御周期から前記溶接特徴量に応じて定められた所定期間だけ前の期間内に前記正常制御周期が存在しない場合に、該異常制御周期における前記実位置の決定を行わない。
上記（１３）の構成によれば、上記の場合には実位置の決定を行わないようにすることにより、後述するように、溶接を可能な限り継続しつつ、溶接の信頼性の向上を図ることができる。
【００２９】
（１４）幾つかの実施形態では、上記（１１）〜（１３）の構成において、
前記検出異常判定部は、前記異常制御周期の後の最初の前記正常制御周期までの期間が、前記溶接特徴量に応じて定められた所定期間を超えた場合に通知する。
【００３０】
上記（１４）の構成によれば、撮影画像からの溶接特徴量の検出異常が所定期間を超えて継続した場合には、溶接の継続可否を判断する必要があるものとして、通知を行う。溶接特徴量は時間の経過に伴って変化するが、上記の所定期間は、溶接特徴量の変化がある場合でも、制御をせずに溶接を継続可能な期間であり、この期間の経過後は通知を行う。これによって、溶接を可能な限り継続しつつ、溶接の信頼性の向上を図ることができる。
【００３１】
また、例えば、電極は、開先（溶接対象物の壁）の形状が急に変化することは稀であることから、制御をせずに溶接が継続可能であると見込める期間が比較的長いのに対し、溶接ワイヤはリールに巻かれた状態のものを引き出しながら使うため、溶接ワイヤの位置が急に変化する場合があり、検出異常の直前の撮影画像の位置から変化し易く、制御をせずに溶接が継続可能であると見込める期間が比較的短い。このため、上記（１４）の構成では、電極位置は電極位置用の所定期間、ワイヤ位置はワイヤ位置用の所定期間を用いるというように、溶接特徴量ごとに上記の所定期間を設定する。このように、上記の所定期間を溶接特徴量に応じて定めることにより、溶接特徴量に含まれる各種特徴量の検出異常時に適した溶接の継続を行うことができる。
【００３２】
（１５）幾つかの実施形態では、上記（１４）の構成において、
前記検出異常判定部は、前記溶接対象物の溶接を停止させるための命令を前記溶接実行装置に送信する。
上記（１５）の構成によれば、溶接対象物の溶接を停止させることにより、溶接を可能な限り継続しつつ、溶接の信頼性の向上を図ることができる。
【００３３】
（１６）幾つかの実施形態では、上記（１）〜（１５）の構成において、
前記溶接の不具合事象を検出した場合に、前記目標位置決定部によって決定された前記目標位置を補正する目標位置補正部を、さらに備える。
【００３４】
例えば、溶接ワイヤの先端が溶融池に入っていない場合に生じる溶滴が発生した場合には、溶接ワイヤの先端と溶融池とが接触した状態にする必要があることから、溶接ワイヤを撮影画像における下方向に移動させる必要がある。また、溶接ワイヤの先端が溶融池の底となる溶接対象物に衝突するつっつきが生じた場合には、衝突しないように、溶接ワイヤを撮影画像における上方向に移動させる必要がある。このような溶接の不具合事象の検出時の溶接ワイヤなど位置制御対象の位置制御と、上述した、実位置が目標位置になるようにするための溶接ワイヤなど位置制御対象の位置制御を別々に行うと、一方が下方向への制御を行おうとし、他方が上方向への制御を行おうとするなど、互いに逆方向に制御を行おうとする結果、制御ハンチングが生じる可能性がある。
【００３５】
上記（１６）の構成によれば、溶接の不具合事象に基づいて目標位置を補正することにより、ハンチングの発生を回避することができる。
【００３６】
（１７）幾つかの実施形態では、上記（２）〜（１６）の構成において、
前記溶接特徴量は、前記ワイヤ位置および前記溶融池の溶融池位置を含み、
前記位置制御対象は、前記溶接ワイヤである。
上記（１７）の構成によれば、ワイヤ位置と溶融池位置との実相対位置がその目標相対位置になるように、溶接実行装置に対する制御を行うことができる。
【００３７】
（１８）幾つかの実施形態では、上記（１）〜（１７）の構成において、
前記溶接条件は、電極電流、電極電圧、溶接速度、前記溶接ワイヤの単位時間当たりの供給量、開先幅のうちの少なくとも１つの条件を含む。
上記（１８）の構成によれば、上述した１つの条件を含む溶接条件に応じた実位置を決定することができる。
【００３８】
（１９）幾つかの実施形態では、上記（１）〜（１８）の構成において、
前記溶接条件は複数の条件を含み、
前記目標位置決定部は、前記溶接条件のうちの少なくとも２つの前記条件を１つに集約した集約条件を含む前記溶接条件に応じた前記目標位置を決定する。
上記（１９）の構成によれば、電極電流、電極電圧、溶接速度、前記溶接ワイヤの単位時間当たりの供給量、開先幅などの溶接条件に含まれる条件うちの少なくとも２つの条件を１つに集約することによって、入力となる溶接条件Ｃに含まれる条件の数（次元）を少なくする（次元を小さくする）。これによって、例えば、上述した目標値変換手段をテーブルで作成する場合など、入力された溶接条件の組合せを入熱量等の別要素に集約することで次元を落とすことができるので、より少数のテーブルで対応することなどができる。
【００３９】
（２０）本発明の少なくとも一実施形態に係る溶接制御方法は、
溶接対象物の溶接に用いられる溶接ワイヤ、又は前記溶接ワイヤを溶融させるための電極の少なくとも一方を含む位置制御対象を制御するように構成された溶接制御方法であって、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定するステップと、
前記溶接対象物を溶接する際の溶接条件に応じた前記実位置の目標である目標位置を決定するステップと、
前記実位置を前記目標位置にするための前記位置制御対象の位置制御を実行するステップと、を備える。
【００４０】
上記（２０）の構成によれば、上記（１）と同様の効果を奏する。
【００４１】
（２１）幾つかの実施形態では、上記（２０）の構成において、
前記撮影画像は、前記溶接ワイヤが溶融されることにより前記溶接対象物の開先に形成される溶融池又は前記開先の少なくとも一方をさらに含み、
前記溶接特徴量は、前記開先の開先位置、または前記溶融池の溶融池位置の少なくとも一方をさらに含み、
前記実位置は、前記ワイヤ位置または前記電極位置の少なくとも一方と、前記開先位置または前記溶融池位置との相対位置である実相対位置を含み、
前記目標位置は、前記溶接対象物を溶接する際の溶接条件に応じた前記相対位置の目標である目標相対位置を含む。
上記（２１）の構成によれば、上記（２）と同様の効果を奏する。
【００４２】
（２２）幾つかの実施形態では、上記（２０）〜（２１）の構成において、
前記目標位置を決定するステップは、
前記溶接条件を取得するステップと、
過去に行われた溶接時の過去溶接条件と、該過去溶接条件下で設定された前記実位置である過去位置との関係性に基づいて、前記溶接条件に応じた前記目標位置を決定するステップと、を有する。
上記（２２）の構成によれば、上記（３）と同様の効果を奏する。
【００４３】
（２３）幾つかの実施形態では、上記（２１）の構成において、
前記目標相対位置を決定するステップは、
過去に行われた溶接時の過去溶接条件の下で行われた前記溶接時における過去溶接特徴と、前記過去溶接特徴の相対位置である過去相対位置との関係性に基づいて、前記過去溶接特徴から前記溶接条件に応じた前記目標相対位置を決定するステップを有する。
上記（２３）の構成によれば、上記（５）と同様の効果を奏する。
【００４４】
（２４）本発明の少なくとも一実施形態に係る溶接制御プログラムは、
溶接対象物の溶接に用いられる溶接ワイヤ、又は前記溶接ワイヤを溶融させるための電極の少なくとも一方を含む位置制御対象を制御するように構成された溶接制御プログラムであって、
コンピュータに、
少なくとも前記位置制御対象を含むように撮影した撮影画像から検出される溶接特徴量であって、前記溶接ワイヤのワイヤ位置または前記電極の電極位置の少なくとも一方を含む溶接特徴量に基づいて前記位置制御対象の実位置を決定する実位置決定部と、
前記溶接対象物を溶接する際の溶接条件に応じた前記実位置の目標である目標位置を決定する目標位置決定部と、
前記実位置を前記目標位置にするための前記位置制御対象の位置制御を実行する位置制御部と、を実現させる。
上記（２４）の構成によれば、上記（１）と同様の効果を奏する。
【００４５】
（２５）幾つかの実施形態では、上記（２４）の構成において、
前記撮影画像は、前記溶接ワイヤが溶融されることにより前記溶接対象物の開先に形成される溶融池又は前記開先の少なくとも一方をさらに含み、
前記溶接特徴量は、前記開先の開先位置、または前記溶融池の溶融池位置の少なくとも一方をさらに含み、
前記実位置は、前記ワイヤ位置または前記電極位置の少なくとも一方と、前記開先位置または前記溶融池位置との相対位置である実相対位置を含み、
前記目標位置は、前記溶接対象物を溶接する際の溶接条件に応じた前記相対位置の目標である目標相対位置を含む。
上記（２５）の構成によれば、上記（２）と同様の効果を奏する。
【発明の効果】
【００４６】
本発明の少なくとも一実施形態によれば、溶接対象物への溶接施工を溶接条件に応じて制御する溶接制御装置が提供される。
【図面の簡単な説明】
【００４７】
【図１】本発明の一実施形態に係る溶接装置の構成例を示す斜視図である。
【図２】本発明の一実施形態に係る撮影画像を示す図である。
【図３Ａ】本発明の一実施形態に係る溶接制御装置の機能を示すブロック図であり、溶接条件を入力として目標相対位置を決定する。
【図３Ｂ】本発明の一実施形態に係る溶接制御装置の機能を示すブロック図であり、また、溶融池位置およびワイヤ位置を入力として目標相対位置を決定する。
【図４】本発明の一実施形態に係る実相対位置決定部の異常制御周期時の動作を説明するための図であり、異常制御周期時の所定期間だけ前に正常制御周期が存在する場合を示す。
【図５】本発明の一実施形態に係る実相対位置決定部の異常制御周期時の動作を説明するための図であり、異常制御周期時の所定期間だけ前に正常制御周期が存在しない場合を示す。
【図６】本発明の一実施形態に係る溶融池位置とワイヤ位置と溶接士による操作履歴との関係を示すグラフである。
【図７】本発明の一実施形態に係る溶接の不具合事象を検出した際のロジックを示す図である。
【図８】本発明の一実施形態に係る溶接制御方法を示す図である。
【発明を実施するための形態】
【００４８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００４９】
図１は、本発明の一実施形態に係る溶接装置７の構成例を示す斜視図である。図２は、本発明の一実施形態に係る撮影画像Ｖを示す図である。
溶接装置７は、鋼板などの溶接対象物を自動でアーク溶接する装置である。図１に示すように、溶接装置７は、溶接施工を制御する溶接制御装置１と、溶接制御装置１からの制御（指令）に従ってアーク溶接を実行する溶接実行装置８と、を備える。
【００５０】
まず、溶接装置７を構成する溶接実行装置８について説明する。溶接実行装置８は、ワイヤ送り機構８１と、電極８２と、撮影部８３とを備える。ワイヤ送り機構８１は、溶接施工に伴って消耗する溶接ワイヤ８ｗを溶接対象物９の溶接箇所に向けて順次送り出す（供給）するための機構である。ワイヤ送り機構８１にセットされた溶接ワイヤ８ｗの先端部分が電極８２からのアーク放電にて溶融されることにより、溶接ワイヤ８ｗが溶融した液相の金属が、溶接対象物９の溶接箇所（溶接部）にて冷えて固化することで、溶接対象物９が溶接される。
【００５１】
図１に示す実施形態では、溶接対象物９の溶接箇所は、２つの部材の間に形成された水平方向に延びる隙間であり、ワイヤ送り機構８１及び電極８２が溶接対象物９の隙間の長手方向に沿って相対移動することで、溶接施工を行う。より詳細には、ワイヤ送り機構８１及び電極８２が溶接対象物９の隙間の長手方向に沿って所定の溶接速度で相対移動することにより、溶接ワイヤ８ｗが溶融した液相の金属である溶融池８ｍが溶接方向（隙間の長手方向）に沿って順次形成される（図２参照）。そして、溶融池８ｍが冷えて固化することで、溶接対象物９が溶接される。
【００５２】
なお、以下の説明では、溶接方向の前後の方向を前後方向、溶接対象物９の隙間の幅方向（長手方向に直交する方向）を左右方向、前後方向および左右方向に直交する方向を上下方向（図１では垂直方向）と称する。また、実際の溶接施工時には、溶接ワイヤ８ｗの真上には電極８２を含む電極８２を支持する部材の少なくとも一部が位置しているなど、溶接ワイヤ８ｗの先端と電極８２とは図１に示すよりも近づいた位置関係にある。
【００５３】
また、撮影部８３は、動画または静止画を撮影するカメラなどの撮影装置であり、溶接個所を撮影するように設置される。撮影部８３によって撮影された溶接箇所の撮影画像Ｖ（以下、単に、撮影画像Ｖ）は、上述した溶接ワイヤ８ｗや、溶融池８ｍ、電極８２、溶接対象物９の隙間を形成する壁面である開先９１の少なくとも２つの撮影対象の位置を検出するために用いられる。図１に示す実施形態では、上記の撮影対象を同一の画像に撮影するために、撮影部８３は、溶接箇所を斜め上から覗き込む位置に設置されている。例えば、図１に示す実施形態では、撮影部８３は、図２に示すように、撮影画像Ｖに溶接ワイヤ８ｗと、電極８２と、溶融池８ｍと、開先９１とが含まれるように、溶接箇所を撮影するように構成されている。
【００５４】
上述したような構成を備える溶接実行装置８を用いた溶接対象物９の溶接施工時には、上述の通り、溶接実行装置８と溶接対象物９とが相対移動するが、溶接実行装置８に設置された撮影画像Ｖにおける開先９１の位置は、溶接対象物９の形状に応じて変化する。同様に、溶接ワイヤ８ｗは、ワイヤ送り機構８１を用いて、リールに巻かれた状態のもの引き出しながら溶接箇所に供給するが、溶接ワイヤ８ｗの曲がり癖などのために、撮影画像Ｖにおける溶接ワイヤ８ｗの位置も変化する。このため、溶接実行装置８は、溶接ワイヤ８ｗや電極８２の位置を移動（調整）する機構を有している。
【００５５】
図１に示す実施形態では、溶接ワイヤ８ｗおよび電極８２は、それぞれ、撮影画像Ｖにおける前後方向および左右方向にそれぞれ移動させることが可能であるが、図１に示すように、溶接実行装置８は、上述したような溶接ワイヤ８ｗや電極８２を位置制御対象８Ｔとして、位置制御対象８Ｔの位置を、溶接制御装置１からの命令に従って移動させるように構成されている。
【００５６】
以下、溶接制御装置１について、図３Ａ〜図３Ｂを用いて説明する。
図３Ａは、本発明の一実施形態に係る溶接制御装置１の機能を示すブロック図であり、溶接条件Ｃを入力として目標相対位置Ｒｔを決定する。図３Ｂは、本発明の一実施形態に係る溶接制御装置１の機能を示すブロック図であり、また、溶融池位置Ｐｍおよびワイヤ位置Ｐｗを入力として目標相対位置Ｒｔを決定する。
【００５７】
溶接制御装置１は、溶接対象物９の溶接に用いられる溶接ワイヤ８ｗ、又は溶接ワイヤ８ｗを溶融させるための電極８２の少なくとも一方を含む位置制御対象８Ｔの位置を制御するように構成された装置である。溶接制御装置１は、少なくとも位置制御対象８Ｔを含むように撮影した撮影画像Ｖから検出される溶接特徴量Ｐであって、溶接ワイヤ８ｗのワイヤ位置Ｐｗまたは電極８２の電極位置Ｐｅの少なくとも一方を含む溶接特徴量Ｐに基づいて位置制御対象８Ｔの実位置を決定（取得）する実位置決定部と、溶接対象物９を溶接する際の溶接条件Ｃに応じた上記の実位置の目標である目標位置を決定する目標位置決定部と、上記の実位置を目標位置にするための位置制御対象８Ｔの位置制御を実行する位置制御部と、を備える。
【００５８】
上記の位置制御対象８Ｔの実位置は、撮影画像Ｖから検出される実際の位置であって、例えば撮影画像Ｖに設定される座標系での位置（絶対位置）であっても良いし、位置制御対象８Ｔの位置となるワイヤ位置Ｐｗ、電極位置Ｐｅの、他の溶接特徴量Ｐ（後述する溶融池位置Ｐｍや開先位置Ｐｂなど）からの相対位置（実相対位置Ｒｒ）であっても良い。溶接特徴量Ｐの位置が絶対位置である場合には、例えば撮影画像Ｖを撮影するカメラなどを固定した状態において、ワイヤ位置Ｐｗなどの絶対位置を、撮影画像Ｖの左右方向（後述）における中央の位置を目標位置などとして制御する。あるいは、上記の目標位置に対応する目標絶対位置を、絶対位置や他の溶接特徴量Ｐから算出可能な関数を予め準備しておき、そのような関数を用いて溶接特徴量Ｐから目標絶対位置を求めても良い。より具体的には、例えば、電極位置Ｐｅと開先位置Ｐｂの左右方向（後述）における位置から、非線形関数やテーブルを用いるなどして目標絶対位置を求める。
【００５９】
以下、溶接特徴量Ｐの位置を相対位置とした実施形態である図３Ａ〜図３Ｂに示す実施形態を例に、溶接制御装置１が備える上述した機能部について、それぞれ説明する。図３Ａ〜図３Ｂに示すように、溶接制御装置１は、実相対位置決定部２と、目標相対位置決定部３と、位置制御部５と、を備える。位置制御対象８Ｔの実位置が絶対位置の場合の実施形態については、以下の説明中の実相対位置Ｒｒを絶対位置、目標相対位置Ｒｔを目標絶対位置などと読み替えて考えれば良い。
【００６０】
なお、溶接制御装置１は、コンピュータで構成されており、図示しないＣＰＵ（プロセッサ）や、ＲＯＭやＲＡＭといったメモリや外部記憶装置などとなる記憶装置ｍを備えている。そして、メモリ（主記憶装置）にロードされたプログラム（溶接制御プログラム１０）の命令に従ってＣＰＵが動作（データの演算など）することで、溶接制御装置１が備える上記の各機能部を実現する。換言すれば、上記の溶接制御プログラム１０は、コンピュータに後述する各機能部を実現させるためのソフトウェアであり、コンピュータによる読み込みが可能な記憶媒体に記憶されても良い。
【００６１】
実相対位置決定部２は、上述した撮影画像Ｖから検出される溶接特徴量Ｐであって、開先９１の開先位置Ｐｂ、溶接ワイヤ８ｗのワイヤ位置Ｐｗ、溶融池８ｍの溶融池位置Ｐｍ、または電極８２の電極位置Ｐｅの少なくとも２つを含む溶接特徴量Ｐのうちのいずれか２つの相対位置である実相対位置Ｒｒを決定する。撮影画像Ｖは、位置制御対象８Ｔ、及び溶接ワイヤ８ｗが溶融されることにより溶接対象物９の開先９１に形成される溶融池８ｍ又は開先９１の少なくとも一方を含むように撮影される。より具体的には、位置制御対象８Ｔが溶接ワイヤ８ｗの場合には、撮影画像Ｖには、溶接ワイヤ８ｗの少なくともワイヤ位置Ｐｗの部分と、溶融池８ｍの少なくとも溶融池位置Ｐｍの部分、または開先９１の少なくとも開先位置Ｐｂの部分とが含まれる。他方、位置制御対象８Ｔが電極８２の場合には、撮影画像Ｖには、電極８２の少なくとも電極位置Ｐｅの部分と、開先９１の少なくとも開先位置Ｐｂの部分とが含まれる。
【００６２】
また、上記のワイヤ位置Ｐｗは、溶接ワイヤ８ｗにおける所望の部位の位置である。溶融池位置Ｐｍは、溶融池８ｍにおける所望の部位である。開先位置Ｐｂは、開先９１における所望の部位の位置である。電極位置Ｐｅは、電極８２における所望の部位の位置である。図１〜図３Ｂに示す実施形態では、図２に示すように、ワイヤ位置Ｐｗは、撮影画像Ｖの最も後ろ側（上下方向の最も下側）に位置する溶接ワイヤ８ｗの先端部分の位置としている。溶融池位置Ｐｍは、撮影画像Ｖにおいて最も前側に位置する溶融池８ｍの先端部分の位置としている。開先位置Ｐｂは、電極８２との相対位置で定められる所定箇所の位置としている。また、電極位置Ｐｅは、撮影画像Ｖの最も後ろ側（上下方向における最も下側）に位置する電極８２の先端部分としている。また、図１〜図３Ｂに示す実施形態では、溶接特徴量Ｐには、少なくともワイヤ位置Ｐｗおよび溶融池位置Ｐｍが含まれるようになっている。
【００６３】
より詳細には、実相対位置決定部２は、撮影画像Ｖを画像処理することにより、溶接特徴量Ｐを検出し、検出結果に基づいて実相対位置Ｒｒを算出する。例えば、位置制御対象８Ｔが溶接ワイヤ８ｗの場合には、その上下方向における位置制御を行うために、ワイヤ位置Ｐｗおよび溶融池位置Ｐｍを検出する。あるいは、その左右方向における位置制御を行うために、ワイヤ位置Ｐｗおよび開先位置Ｐｂを検出する。他方、位置制御対象８Ｔが電極８２の場合には、その左右方向における位置制御を行うために、電極位置Ｐｅおよび開先位置Ｐｂを検出する。実相対位置Ｒｒは、制御対象物を制御する方向に沿った距離であっても良い。あるいは、撮影画像Ｖの左下の端などの任意の位置を基準とした位置（座標）や、実相対位置Ｒｒを構成する２つの溶接特徴量Ｐのうちの一方を基準とした他方の位置（座標）であっても良い。
【００６４】
図１〜図３Ｂに示す実施形態では、位置制御対象８Ｔを少なくとも溶接ワイヤ８ｗとしており、溶接特徴量Ｐには、ワイヤ位置Ｐｗおよび溶融池位置Ｐｍが含まれている。そして、図３Ａ〜図３Ｂに示すように、実相対位置決定部２は、溶接時の溶接箇所を撮影する撮影部８３から撮影画像Ｖを取得する撮影画像取得部２１と、所定の制御周期Ｔ毎に、この撮影画像取得部２１によって取得された撮影画像Ｖ（１または複数）から、ワイヤ位置Ｐｗおよび溶融池位置Ｐｍを含む溶接特徴量Ｐを検出する溶接特徴量検出部２２と、検出されたワイヤ位置Ｐｗおよび溶融池位置Ｐｍ溶接特徴量Ｐに基づいて実相対位置Ｒｒ（ワイヤ池相対位置）を算出する算出部２４と、を有する。
【００６５】
より具体的には、上記の撮影画像取得部２１は撮影部８３に接続されることにより、撮影画像Ｖが逐次（リアルタイムに）入力されるようになっている。また、溶接特徴量検出部２２は撮影画像取得部２１に接続されることにより、撮影画像取得部２１が取得した撮影画像Ｖが逐次入力されるようになっている。なお、撮影画像取得部２１は、入力された撮影画像Ｖの全てを記憶装置ｍに記憶しても良いし、所定の間隔などで間引くなどして、そのうちの一部を記憶装置ｍに記憶しても良い。撮影画像取得部２１によって記憶された撮影画像Ｖが溶接特徴量検出部２２に入力される。そして、溶接特徴量検出部２２は、所定の制御周期Ｔ毎に、溶接特徴量Ｐを検出するようになっている。算出部２４は、溶接特徴量検出部２２に接続されることにより、溶接特徴量Ｐが逐次入力される。これによって、溶接時の撮影画像Ｖを逐次画像処理することにより、実相対位置Ｒｒを逐次算出することができる。
【００６６】
目標相対位置決定部３は、溶接対象物９を溶接する際の溶接条件Ｃに応じた上記の相対位置（ワイヤ池相対位置などの実相対位置Ｒｒ）の目標である目標相対位置Ｒｔを決定する。溶接条件Ｃは、溶接実行装置８による溶接対象物９の溶接状態に影響を与える条件である。例えば、溶接条件Ｃは、電極８２に対する電極電流や電極電圧、溶接実行装置８と溶接対象物９との相対移動の速度（アークの移動速度）である溶接速度、溶接ワイヤ８ｗの供給量（単位時間当たりの供給量）、開先９１の開先幅のうちの少なくとも１つの条件を含んでも良い。
【００６７】
溶接状態は、溶接時の入熱条件に応じて変わるが、溶接条件Ｃは入熱条件を設定する。具体的には、電極電流や電極電圧が大きいほど入熱量は大きい。溶接速度が速いほど、単位時間に溶接する箇所が多くなるため、溶接箇所の大きさの単位量あたりの入熱量は小さくなる。溶接ワイヤ８ｗの供給量が多いほど、溶接ワイヤ８ｗの単位量あたりの入熱量は小さくなる。また、開先幅が大きいほど、溶融池８ｍが左右方向などに広がるので、単位体積あたりの入熱量は小さくなる。
【００６８】
また、目標相対位置Ｒｔは、上述した実相対位置Ｒｒとの比較が可能である必要があり、例えば、制御対象物を制御する方向に沿った距離や、実相対位置Ｒｒを構成する２つの溶接特徴量Ｐのうちの一方を基準とした他方の位置であっても良い。目標相対位置Ｒｔの決定方法については後述するが、機械学習を適用して、目標相対位置Ｒｔを決定しても良い。
【００６９】
位置制御部５は、上述した実相対位置決定部２によって決定された実相対位置Ｒｒを、上述した目標相対位置決定部３によって決定された目標相対位置Ｒｔにするための溶接対象物の位置制御を実行する。換言すれば、溶接対象物の位置制御は、実相対位置Ｒｒと目標相対位置Ｒｔとの差異（ずれ量）がゼロを含む所定の範囲に収めるようにするのに必要な溶接対象物の制御量を算出し、溶接実行装置８に対して算出した制御量を送信する。そして、溶接実行装置８は、受信した制御量に応じて溶接対象物の位置を制御する。
【００７０】
より具体的には、制御量は、現在位置からの移動すべき方向への移動量であっても良いし、溶接実行装置８が位置を認識する座標系における、溶接対象物の移動すべき座標であっても良い。また、位置制御部５は、撮影画像Ｖの画像処理を通して、送信した制御量に対して移動した移動後の位置を検出しながら、溶接対象物の位置を制御しても良い（フィードバック制御）。
【００７１】
なお、上述した実施形態では、ワイヤ位置Ｐｗと溶融池位置Ｐｍとの前後方向に沿った相対位置（ワイヤ池相対位置）を例に説明したが、本実施形態に本発明は限定されない。ワイヤ位置Ｐｗと溶融池位置Ｐｍとの左右方向に沿った相対位置についても、上述したのと同様な、溶接条件Ｃに応じた位置制御を行っても良い。また、上述したのと同様に、他の幾つかの実施形態では、撮影画像Ｖから電極８２の電極位置Ｐｅおよびワイヤ位置Ｐｗを検出すると共に、溶接条件Ｃに基づいてその目標相対位置を算出することにより、電極位置Ｐｅとワイヤ位置Ｐｗとの実相対位置が目標相対位置になるように、電極８２またはワイヤ位置Ｐｗの少なくとも一方を前後方向に制御しても良い。その他の幾つかの実施形態では、撮影画像Ｖから電極位置Ｐｅおよび開先９１の開先位置Ｐｂ検出すると共に、溶接条件Ｃに基づいてその目標相対位置を算出することにより、電極位置Ｐｅと開先位置Ｐｂとの実相対位置が目標相対位置になるように、電極位置Ｐｅを左右方向に制御しても良い。図２に示すように、電極位置Ｐｅは、前後方向における最も前側に位置する電極８２の先端部分であっても良いし、開先位置Ｐｂは、電極８２との相対位置で定められる所定箇所の位置であっても良い。
【００７２】
上記の構成によれば、溶接条件Ｃに応じて、例えば溶接ワイヤ８ｗの位置と溶融池８ｍの位置との相対位置などの溶接特徴量に含まれるいずれか２つ相対位置の目標（目標相対位置Ｒｔ）を決定する。そして、溶接実行装置８による溶接状況を撮影画像Ｖの画像処理を通して得られる実際の相対位置（実相対位置Ｒｒ）が目標になるように、溶接実行装置８に対する制御を行う。これによって、溶接士が行う場合と同等の溶接品質のアーク溶接を自動で行うことができ、溶接士技能への依存を低減した自動溶接を実現することができる。
【００７３】
次に、目標相対位置Ｒｔの決定に関する幾つかの実施形態について説明する。なお、以下の説明では、より具体的な説明とするために、上記の実相対位置Ｒｒおよび目標相対位置Ｒｔを、ワイヤ位置Ｐｗと溶融池位置Ｐｍとの相対位置である場合を例として説明する。ただし、これには限定されず、上述した溶接特徴量Ｐ（ワイヤ位置Ｐｗ、溶融池位置Ｐｍ、電極位置Ｐｅ、開先位置Ｐｂ）のうちのいずれか２つの相対位置であれば良く、以下の説明中のワイヤ位置Ｐｗと溶融池位置Ｐｍを所望の２つの位置に読み替えて適用すれば良い。
【００７４】
幾つかの実施形態では、図３Ａに示すように、上述した目標相対位置決定部３は、溶接対象物９に対して溶接を実行する際の溶接条件Ｃを取得する溶接条件取得部３１と、過去に行われた溶接時の溶接条件（過去溶接条件）と、この過去溶接条件下で設定された過去の溶融池位置（過去溶融池位置）および過去のワイヤ位置（過去ワイヤ位置）の相対位置といった、上述した溶接特徴量Ｐのうちのいずれか２つの相対位置である過去相対位置との関係性に基づいて、溶接条件取得部３１によって取得された溶接条件Ｃから、溶接条件に応じた目標相対位置Ｒｔを決定する条件ベース目標決定部３２と、を有する。つまり、過去の溶接施工時に、溶接士が溶融池位置Ｐｍに対するワイヤ位置Ｐｗをどのように設定していたかの情報、および、その際の溶接条件Ｃの内容の情報の実績を関連付けて蓄積し、これを学習データとして学習（機械学習）することにより、上記の関係性を導出する。
【００７５】
より具体的には、条件ベース目標決定部は、前記過去溶接条件と、該過去溶接条件下で設定された前記過去相対位置とを対応付けた複数のデータを機械学習することにより得られる学習モデル（条件ベース学習モデル）を用いて、前記溶接条件に応じた前記目標相対位置を決定する時や場所、溶接対象物９が異なる溶接施工毎に、同じタイミングにおける溶融池位置Ｐｍおよびワイヤ位置Ｐｗなどの溶接特徴量Ｐに基づいて算出される過去相対位置と、溶接条件Ｃとの情報セットを、例えば時間をずらして複数回取得する。こうして得られる、複数のタイミングの各々における過去相対位置と、溶接条件Ｃとを対応付けた複数のデータを学習データとする。この学習データの学習には、ニューラルネットワークや回帰分析など、周知の手法を適用しても良い。こうして得られた学習モデルや回帰式（以下、学習モデル）は、溶接士が行っている溶接条件Ｃと上記の過去相対位置との関係性が導出されたものである。このため、学習モデルを用いることで、入力となる溶接条件Ｃに対して、溶接士が設定するであろうワイヤ池相対位置などの目標相対位置Ｒｔを得ることが可能となる。よって、目標相対位置決定部３は、学習モデルを用いることにより、取得した溶接条件Ｃに対応する目標相対位置Ｒｔを決定することが可能となる。
【００７６】
この際、溶接条件Ｃに複数の条件が含まれる場合には、そのうちの少なくとも２つの条件を１つに集約して、入力となる溶接条件Ｃに含まれる条件の数（次元）を小さくしても良い。この場合、溶接条件Ｃは、溶接条件Ｃのうちの少なくとも２つの条件を１つに集約した集約条件と、その他の条件とを含むことになる。よって、目標相対位置決定部３は、このような集約条件を含む溶接条件Ｃに応じた目標相対位置Ｒｔを決定する。例えば、溶接速度と、溶接電流と、溶接電圧と、の３つの条件を入熱量という１つの条件に集約を含む溶接条件Ｃと、過去相対位置との関係性を学習しても良い。この場合の学習モデルは、溶接速度と、溶接電流と、溶接速度の３つの条件の代わりに、入熱量という１つの条件を含むことになる。なお、入熱量は、外部から溶接部に供給される熱量であり、入熱量＝｛６０×溶接電流×溶接電圧｝÷溶接速度との関係がある。ただし、本実施形態に本発明は限定されない。状況に応じて、目標相対位置Ｒｔとの関係性を最も表す条件を集約すれば良い。例えば、他の幾つかの実施形態では、溶接速度および溶接電流の２つの条件を入熱量という１つの条件に集約するなどしても良い。
【００７７】
学習モデルを用いて予め複数の溶接条件Ｃと目標相対位置Ｒｔとの関係をテーブル化した場合には、溶接条件Ｃに複数の条件が含まれる場合には、複数の条件の組合せを網羅したようなテーブルが必要になるが、条件の数が増えると、その組み合わせ数が増大するので、テーブル作成のコストが増大する。上記のように、複数の条件を１つの条件に集約し、次元数を減らすことで、このようなテーブル作成のコストを低減することができる。
【００７８】
なお、溶接対象物９を溶接する際の溶接条件Ｃは、溶接実行装置８などに設定されている設定値を、溶接実行装置８から取得しても良いし、オペレータなどから入力されたものを取得しても良い。
【００７９】
上記の構成によれば、過去において、溶接士が例えば溶接ワイヤ８ｗなどの位置制御対象８Ｔを操作した結果として得られる溶接ワイヤ８ｗと溶融池８ｍとの相対位置といった溶接特徴量Ｐのうちのいずれか２つ相対位置の実績と、その際の溶接条件Ｃとの対応関係を蓄積して学習（機械学習）すると共に、この学習結果に基づいて、溶接条件Ｃから直接、目標相対位置Ｒｔを求める。これによって、目標相対位置Ｒｔを適切に決定することができる。また、こうして決定された目標相対位置Ｒｔを位置制御に用いることにより、溶接士が行う場合と同等の溶接品質を実現することができる。
【００８０】
他の幾つかの実施形態では、目標相対位置決定部３は、過去に行われた溶接時の過去溶接条件の下で行われた溶接時の過去溶融池位置および過去ワイヤ位置といった過去の溶接特徴量（以下、過去溶接特徴量）と、この過去溶接特徴量の相対位置ある過去相対位置との関係性に基づいて、入力となる溶融池位置Ｐｍおよびワイヤ位置Ｐｗなどの溶接特徴量Ｐから、溶接条件Ｃに応じた目標相対位置Ｒｔを決定する位置ベース目標決定部３４を有する。上述したのと同様に、過去の溶接施工時に、溶接士が溶融池位置Ｐｍに対するワイヤ位置Ｐｗなどの位置をどのように設定していたかの情報と、この時の両者の相対位置との関係の実績を関連付けて蓄積し、これを学習データとして学習（機械学習）することにより、上記の関係性を導出する。
【００８１】
ここで、溶接条件Ｃが変われば溶接時の入熱条件（入熱状態）が変わるなどするため、溶接条件Ｃに応じて適切な溶接ワイヤ８ｗや電極といった位置制御対象８Ｔの位置が変わる。溶接士の操作は、このような溶接条件Ｃに応じて異なる溶接状態の視覚情報を主体に溶接品質を確保するための溶接特徴量Ｐ（ワイヤ位置Ｐｗ、溶融池位置Ｐｍ、電極位置Ｐｅ、開先位置Ｐｂなど）を認識し、経験に基づきワイヤ位置Ｐｗや電極８２などを操作することで、高品質な溶接を達成している。このような知見の下、溶接士が行った操作には溶接条件Ｃの違いが反映されており、溶接条件Ｃに代えて、溶接士の操作履歴から目標相対位置Ｒｔを求めることが可能と考えた。
【００８２】
より具体的には、目標相対位置決定部３は、上述した過去溶接特徴量と、上述した過去相対位置とを対応付けた複数のデータを機械学習することにより得られる学習モデル（位置ベース学習モデル）を用いて、上記の溶接特徴量Ｐから溶接条件Ｃに応じた目標相対位置Ｒｔを決定する。すなわち、時や場所、溶接対象物９が異なる溶接施工毎に、同じタイミングにおける溶融池位置Ｐｍ、及びワイヤ位置Ｐｗなどの溶接特徴量Ｐの情報セットを、例えば時間をずらして複数回取得する。これによって、同一のタイミングにおける例えば溶融池位置Ｐｍと、ワイヤ位置Ｐｗと、その両者の相対位置の算出値の実績を対応付けたデータを複数のタイミングで得ることができ、この複数のデータを学習データとする。この学習データの学習には上記のような周知の学習手法を適用しても良い。学習によって得られる学習モデルは、溶接士が行っている例えば溶融池位置Ｐｍおよびワイヤ位置Ｐｗと、この両者の相対位置の算出結果との関係性が導出されたものである。このため、学習モデルを用いることで、入力となる溶接特徴量Ｐに対して、溶接士が設定するであろうワイヤ池相対位置などを得ることが可能となる。よって、目標相対位置決定部３は、学習モデルを用いることにより、溶接特徴量Ｐに対応する目標相対位置Ｒｔを決定することが可能となる。
【００８３】
上記の構成によれば、過去において、溶接士が溶接ワイヤ８ｗなどの位置制御対象８Ｔを操作した結果として得られる溶融池８ｍの位置および溶接ワイヤ８ｗの位置などの溶接特徴量Ｐの実績と、その結果から得られる相対位置の実績との関係性を学習すると共に、この学習結果に基づいて、溶融池８ｍの位置および溶接ワイヤ８ｗの位置などの溶接特徴量Ｐから目標相対位置Ｒｔを求める。これによって、目標相対位置Ｒｔを適切に決定することができる。また、未だ経験していない溶接条件Ｃに対しても、容易に対応することができる。例えば、大量のデータ（学習データ）から溶接ワイヤ８ｗと溶融池８ｍとの目標相対位置Ｒｔが線形の関係にあるというように、その傾向がわかった場合、いまだ経験していないが、過去に経験した条件に近い溶接条件Ｃや複数のデータの内挿に位置するような条件は、線形モデル化の範疇に入るため、対応可能となる。また、こうして決定された目標相対位置Ｒｔを位置制御に用いることにより、溶接士が行う場合と同等の溶接品質を実現することができる。
【００８４】
その他の幾つかの実施形態では、溶接条件Ｃに応じた目標相対位置Ｒｔを、入熱条件等を考慮しながら予め設定した関数やテーブルなどの目標値変換手段を作成しておき、目標相対位置決定部３は、その目標値変換手段を用いて、溶接条件Ｃから目標相対位置Ｒｔを決定しても良い。具体的には、目標相対位置決定部３は、上述した条件ベース学習モデルを用いて作成された、溶接条件Ｃから、この溶接条件Ｃに対応する目標相対位置Ｒｔを求めるための目標値変換手段を用いて、溶接条件Ｃから目標相対位置Ｒｔを決定しても良い。あるいは、目標相対位置決定部３は、上述した位置ベース学習モデルを用いて作成された、溶接特徴量Ｐから、この溶接特徴量Ｐに対応する目標相対位置Ｒｔを求めるための目標値変換手段を用いて、溶接特徴量Ｐから目標相対位置Ｒｔを決定しても良い。これによって、計算量を抑制しつつ、溶接条件Ｃに応じた目標相対位置Ｒｔを算出することができる。
【００８５】
次に、溶接制御装置１が備えるその他の幾つかの実施形態について、図６〜図７を用いて説明する。図６は、本発明の一実施形態に係る溶融池位置Ｐｍとワイヤ位置Ｐｗと溶接士による操作履歴との関係を示すグラフである。また、図７は、本発明の一実施形態に係る溶接の不具合事象を検出した際のロジックを示す図である。
【００８６】
幾つかの実施形態では、溶接制御装置１は、図３Ａ〜図３Ｂに示すように、上述した目標相対位置Ｒｔと実相対位置Ｒｒとの差異に基づいて、位置制御対象８Ｔの位置制御の要否を判定する位置制御要否判定部４を、さらに備えても良い。この場合、上述した位置制御部５は、位置制御要否判定部４による判定結果に応じて、溶接ワイヤ８ｗなどの位置制御対象８Ｔの位置制御を実行する。
【００８７】
図６に示すグラフについて説明すると、横軸は溶融池位置Ｐｍであり、縦軸はワイヤ位置Ｐｗであり、溶融池位置Ｐｍおよびワイヤ位置Ｐｗに対して、溶接士の操作内容をプロットしている。つまり、図６には、溶融池位置Ｐｍおよびワイヤ位置Ｐｗの各組合せにおいて、溶接士がどのような操作をしたかを示している。具体的には、溶接士は、黒塗りの四角でプロットした点において下方向に操作し（下操作）、薄い色の四角でプロットした点において上方向に操作し（上操作）、白丸でプロットした点において操作しなかったことを示す。なお、図６に示すグラフの溶融池位置Ｐｍおよびワイヤ位置Ｐｗは、撮影画像Ｖの左下の端（図２参照）を原点とし、この原点からの相対位置であるが、本実施形態に本発明は限定されず、座標の原点は任意の位置として良い。
【００８８】
なお、図６の縦軸の値は横軸の値よりも定数Ｓだけ大きく、破線は、溶融池位置Ｐｍに対してワイヤ位置Ｐｗが定数Ｓだけ大きい点を結んだ線となる。破線で示されるように、例えば溶接速度の速い、遅いに応じて、溶融池位置Ｐｍおよびワイヤ位置Ｐｗの位置が異なっていることが分かる。また、ワイヤ池相対位置（距離）についても、溶接速度が速い場合には、操作無しのプロット点（白丸）のワイヤ位置Ｐｗは破線の下側に集中しており、実相対位置Ｒｒは、より短くなっている。逆に、溶接速度が遅い場合には、操作無しのプロット点（白丸）のワイヤ位置Ｐｗは破線の上側に集中しており、実相対位置Ｒｒは、より長くなっていることが見て取れるなど、溶接条件Ｃに応じて、目標相対位置Ｒｔを変えていることがわかる。
【００８９】
図６に示すように、例えば溶融池位置Ｐｍがａｘの場合などの任意の溶融池位置Ｐｍにおいてワイヤ位置Ｐｗは様々な値をとる中で、溶接士は操作する場合と操作しない場合がある。そして、図６から、溶接士は、溶融池位置Ｐｍにおいて、ワイヤ位置Ｐｗのある範囲では操作を行わず、その範囲を超えてワイヤ位置Ｐｗが大きくなると下操作を行い、ワイヤ位置Ｐｗがその範囲を下回ると上操作を行う傾向が見受けられる。つまり、溶接士の操作を解析すると、溶接士は、経験に基づいて溶接時に溶接ワイヤ８ｗと溶融池８ｍとの実相対位置Ｒｒの差（｜Ｐｗ−Ｐｍ｜）が所定の範囲を逸脱した場合に、その差異を修正するための操作を行っている。          
【００９０】
よって、位置制御要否判定部４により、目標相対位置Ｒｔと実相対位置Ｒｒとの差異が所定の範囲に収まっている場合には、目標相対位置Ｒｔと実相対位置Ｒｒとに差異が生じている場合であっても溶接ワイヤ８ｗの位置制御を実行しないようにする（制御不感帯を設定する）。これによって、少ない操作回数で溶接士と同等の溶接を行うことができる。
【００９１】
幾つかの実施形態では、上述した所定の範囲（以下、適宜、制御不感帯）は、過去に行われた溶接時の過去溶融池位置と、過去ワイヤ位置と、その時の過去ワイヤ位置の操作有無とが対応付けられた複数の操作履歴データなど、過去溶接特徴量と、これに対応する位置制御対象８Ｔの操作有無とが対応づけられた複数の操作履歴データに基づいて定められても良い。この場合、位置制御要否判定部４は、上述した実相対位置Ｒｒと目標相対位置Ｒｔとの差異が、上記のように定められた制御不感帯（所定の範囲）を逸脱した場合に、溶接ワイヤ８ｗなどの位置制御対象８Ｔの位置制御を必要と判定する。逆に、位置制御要否判定部４は、上記の差異が、制御不感帯の範囲内にある場合には、位置制御対象８Ｔの位置制御を不要と判定する。
【００９２】
より詳細には、例えば、溶接特徴量Ｐを入力、操作有無ラベルを出力とした分類モデルをサポートベクトルマシン（ＳＶＭ：Ｓｕｐｐｏｒｔ  Ｖｅｃｔｏｒ  Ｍａｃｈｉｎｅ）で生成し、着目すべき特徴量空間（図６では溶融池位置Ｐｍとワイヤ位置Ｐｗとの二次元空間）について、オペレータの介入操作が必要な空間（ラベル：操作有）と操作が不要な空間（ラベル：操作無）の分離境界面を特定する。こうして得られた線が図６に示す実線と二点鎖線で示す線である。実線が下操作有りと操作無しとの分離境界であり、実線よりも上の空間が下操作有り、下の空間が下操作無しとなる。他方、二点鎖線が上操作有りと操作無しとの分離境界であり、実線よりも上の空間が上操作有り、下の空間が下操作無しとなる。そして、この２つの分離境界の間の空間が、操作が不要な制御不感帯となる。
【００９３】
要するに、図６において、溶融池位置Ｐｍに対するワイヤ位置Ｐｗが実線よりも大きくなった場合には下操作を実行し、二点鎖線よりも小さくなった場合には上操作を実行し、実線と二点鎖線の間であれば操作を行わない。換言すれば、各溶融池位置Ｐｍにおける、上記の実線と二点鎖線との間の範囲が制御不感帯であり、この制御不感帯をワイヤ位置Ｐｗの制御目標範囲とする。なお、目標相対位置決定部３によって算出される目標相対位置Ｒｔは、この制御目標範囲に収まることになる。
【００９４】
図３Ａ〜図３Ｂに示す実施形態では、位置制御要否判定部４は、実相対位置決定部２、目標相対位置決定部３にそれぞれに接続されており、実相対位置Ｒｒおよび目標相対位置Ｒｔが入力され、実相対位置決定部２から実相対位置Ｒｒおよび目標相対位置Ｒｔが入力されるようになっている。また、位置制御要否判定部４は、実相対位置Ｒｒおよび目標相対位置Ｒｔが入力されると、実相対位置Ｒｒと目標相対位置Ｒｔとの差異が、制御不感帯の範囲にあれば、目標相対位置Ｒｔと実相対位置Ｒｒとの差異があっても、ワイヤ位置Ｐｗの位置制御を行わない。逆に、実相対位置Ｒｒと目標相対位置Ｒｔとの差異がこの制御不感帯の範囲を逸脱すれば、この制御不感帯の範囲に収まるように、ワイヤ位置Ｐｗの位置制御を行う。
【００９５】
なお、収集した操作歴データ（学習データ）は操作無に対して操作有（例：下操作有，上操作有）のデータが少なく、このようにデータ数に偏りがある場合，ＳＶＭの識別性能が大きく低下することが知られている。そこで、データ数不均衡の解消を図るため、図６に示す実施形態では、データ数比に基づきクラスの重み付けを行うことで、データ数の少ない操作有のクラスが過小に評価されるという問題を解消している。
【００９６】
上記の構成によれば、溶接ワイヤ８ｗの位置制御の実行の要否を判定するための範囲を、溶接士が行った溶接ワイヤ８ｗの位置の操作有無と、過去溶融池位置およびワイヤ位置との関係に基づいて決定する。これによって、上記の所定の範囲を適切に設定することができ、少ない操作回数で溶接士と同等の溶接を自動で行うことができる。
【００９７】
上述した実施形態において、幾つかの実施形態では、上記の所定の範囲は、溶接条件Ｃに応じて決定しても良い。つまり、溶接ワイヤ８ｗの位置制御の実行の要否を判定するための制御不感帯を、溶接条件Ｃあるいは溶接条件Ｃが反映されたものとなる溶融池位置Ｐｍおよびワイヤ位置Ｐｗなどの溶接特徴量Ｐに応じて可変とする。これによって、溶接条件Ｃに応じて上記の所定の範囲（制御不感帯の範囲）を設定することができ、溶接ワイヤ８ｗなどの溶接特徴量Ｐの位置制御を厳格に行う必要がある溶接条件Ｃとそうでない溶接条件Ｃに対して、それぞれ適切に対応することができる。
なお、他の幾つかの実施形態では、溶接条件Ｃにかかわらず、一定であっても良い。
【００９８】
また、幾つかの実施形態では、上述した実相対位置決定部２は、図３Ａ〜図３Ｂに示すように、溶接特徴量検出部２２による上述した制御周期Ｔ毎の溶接特徴量Ｐの検出異常（以下、単に、検出異常）を判定する検出異常判定部２３を、さらに有していても良い。より詳細には、実相対位置決定部２は、検出異常判定部２３によって検出異常が生じていないと判定された制御周期Ｔである正常制御周期Ｔｓでは、この正常制御周期Ｔｓに取得された撮影画像Ｖから検出される溶接特徴量Ｐに基づいて実相対位置Ｒｒを算出する。
【００９９】
その一方で、幾つかの実施形態では、後述する図４に示すように、検出異常判定部２３によって検出異常が生じたと判定された制御周期Ｔである異常制御周期Ｔｆでは、この異常制御周期Ｔｆより前の既に終わった正常制御周期Ｔｓに取得された撮影画像Ｖから検出される溶接特徴量Ｐに基づいて実相対位置Ｒｒを算出しても良い。つまり、実相対位置決定部２は、異常制御周期Ｔｆでは、その異常制御周期Ｔｆ以前の正常制御周期Ｔｓで得られた実相対位置Ｒｒを用いるようにしても良い。
【０１００】
上記の検出異常は、溶接特徴量検出部２２による画像処理によって、制御周期Ｔ毎に、撮影画像Ｖから溶接特徴量Ｐが全く検出できなかった場合や、溶接特徴量Ｐの値がこれまでの値から想定外に大きく変化した場合、溶接特徴量Ｐの値が通常あり得ない値になった場合など、外れ値となった場合である。例えば、溶接条件Ｃにより定まる入熱量が小さすぎると撮影画像Ｖが暗くなり過ぎてしまい、逆に、入熱量が大きすぎると、撮影画像Ｖが明るくなり過ぎてしまうなどに起因して、画像処理によって溶接特徴量Ｐが検出できなかったり、間違って検出されたりするなど、溶接特徴量Ｐが適切に検出できない場合が有り得る。
【０１０１】
そして、本実施形態では、異常制御周期Ｔｆでは、即座に溶接の制御を停止するのではなく、この判定よりも前の正常制御周期Ｔｓに取得された撮影画像Ｖから得られる実相対位置Ｒｒを用いることにより、溶接施工を継続する。溶接特徴量Ｐの検出異常は、溶接時の入熱量などに応じて一時的に生じる可能性があり、その自然に回復する場合があるからである。
【０１０２】
具体的には、異常制御周期Ｔｆでは、それ以前の正常制御周期Ｔｓに取得された撮影画像Ｖから検出された溶接特徴量Ｐが算出部２４に入力されるように構成されても良いし、それ以前の正常制御周期Ｔｓに取得された撮影画像Ｖからの実相対位置Ｒｒが算出部２４から出力されるように構成されても良い。図３Ａ〜図３Ｂに示す実施形態では、検出異常判定部２３は、溶接特徴量検出部２２から入力される溶接特徴量Ｐが検出できなかったことの通知または溶接特徴量Ｐの値に基づいて、検出異常の有無を判定する。そして、検出異常判定部２３は、検出異常が無いと判定した場合には、溶接特徴量検出部２２から入力される溶接特徴量Ｐを算出部２４に出力するようになっている。
【０１０３】
これについて、図４を用いて説明する。図４は、本発明の一実施形態に係る実相対位置決定部２の異常制御周期Ｔｆ時の動作を説明するための図であり、異常制御周期Ｔｆ時の所定期間Ｒだけ前に正常制御周期Ｔｓが存在する場合を示す。図４には、時間の経過に伴って各制御周期Ｔが繰り返されており、各制御周期Ｔで取得された撮影画像Ｖから、溶接特徴量Ｐ（Ｐ１、Ｐ２、・・・、Ｐｎ−１、Ｐｎ＋１・・・：ｎは整数）を検出する様子が示されている。
【０１０４】
そして、図４に示す実施形態では、ｎ番目より前および後の制御周期Ｔが正常制御周期Ｔｓであり、ｎ番目が異常制御周期Ｔｆであったとする。このため、実相対位置決定部２（溶接特徴量検出部２２）は、ｎ番目の制御周期Ｔ（異常制御周期Ｔｆ）に取得された撮影画像Ｖからは溶接特徴量Ｐを検出できない。よって、実相対位置決定部２は、ｎ番目の異常制御周期Ｔｆより前（以前）の正常制御周期Ｔｓの撮影画像Ｖから検出された溶接特徴量Ｐを、このｎ番目の異常制御周期Ｔｆの撮影画像Ｖから検出された溶接特徴量Ｐとして代用する。
【０１０５】
なお、例えば、各異常制御周期Ｔｆでは、その異常制御周期Ｔｆから溶接特徴量Ｐに応じて定められた所定期間Ｒだけ前の期間内に正常制御周期Ｔｓが存在しない場合に、実相対位置決定部２は、その異常制御周期Ｔｆにおける実相対位置Ｒｒの決定を行わないように構成しても良い。換言すれば、異常制御周期Ｔｆの後の最初の正常制御周期Ｔｓまでの期間が所定期間Ｒを超えた場合に通知しても良い。あるいは、検出異常判定部２３から後述する通知を行っても良い。
【０１０６】
また、例えば図４において、ｎ−１番目も異常制御周期Ｔｆであった場合には、ｎ−２番目の正常制御周期Ｔｓにおける溶接特徴量Ｐを代用しても良い。また、図４では、ｎ−１番目（直前）の正常制御周期Ｔｓにおける溶接特徴量Ｐを代用しているが、上記の所定期間Ｒに含まれる正常制御周期Ｔｓにおける溶接特徴量Ｐであれば良い。
【０１０７】
図１〜図３Ｂに示す実施形態では、上述した溶接特徴量検出部２２が溶接特徴量Ｐの検出を行う制御周期Ｔの１周期の間に、撮影画像取得部２１によって複数の撮影画像Ｖが取得され、記憶装置ｍなどに蓄積されるようになっている。そして、溶接特徴量検出部２２は、制御周期Ｔ毎に蓄積される複数の撮影画像Ｖから溶接特徴量Ｐを検出するようになっており、この複数の撮影画像Ｖから対象とする溶接特徴量Ｐが全く検出できない場合（有効データなし）には、上記の検出異常が生じたと判定する。これによって、位置制御対象８Ｔの位置制御を適切に行いつつ、撮影画像毎に位置制御のための処理を行うことによる処理負荷の低減を図っている。なお、本実施形態において、正常制御周期Ｔｓにおいてワイヤ位置Ｐｗなどの１つの位置に関して、複数の撮影画像Ｖから複数の値が検出された場合には、制御の基準として最も適切と考えられる、例えば位置が適切に検出された撮影画像Ｖのうちの、正常制御周期Ｔｓの１周期内で最新となる撮影画像Ｖから検出された値を、溶接特徴量Ｐとしてその後の実相対位置Ｒｒの算出に用いるようにしても良い。
【０１０８】
ただし、図１〜図３Ｂに示す実施形態に本発明は限定されず、他の幾つかの実施形態では、上記の制御周期Ｔの１周期の間に、撮影画像取得部２１によって１つの撮影画像Ｖが取得されるようになっていても良い。この場合には、溶接特徴量検出部２２は、制御周期Ｔ毎に得られる１つの撮影画像Ｖから対象とする溶接特徴量Ｐが検出できない場合には、上記の検出異常が判定したと判定する。
【０１０９】
上記の構成によれば、撮影画像Ｖからの溶接特徴量Ｐの検出が適切になされなかった場合には、例えば直前などの正常制御周期Ｔｓに取得された撮影画像Ｖから検出した溶接特徴量Ｐ（代替特徴量）を代わりに用いて実相対位置Ｒｒを算出するなどして、検出異常が生じていないと判定されていた撮影画像Ｖに基づく実相対位置Ｒｒを用いるようにする。これによって、溶接を継続して実行することができる。また、検出異常が生じている溶接特徴量Ｐに基づいて溶接が制御されるような事態を防止することができ、溶接対象物９や溶接実行装置８の損傷を防止し、溶接制御装置１の信頼性を向上させることができる。
【０１１０】
なお、他の幾つかの実施形態では、実相対位置決定部２は、異常制御周期Ｔｆでは、実相対位置Ｒｒを算出部２４に出力しないなどすることにより、位置制御対象８Ｔの制御を行わないようにしても良い。
【０１１１】
上述した検出異常に関する実施形態において、幾つかの実施形態では、図３Ａ〜図３Ｂに示すように、上記の検出異常判定部２３は、異常制御周期Ｔｆの後から、最初の正常制御周期Ｔｓまでの期間が、溶接ワイヤ８ｗといった位置制御対象８Ｔに応じて定められた所定期間Ｒを超えた場合に通知する（図５参照）。つまり、撮影画像Ｖからの溶接特徴量Ｐの検出異常が所定期間Ｒを超えて継続した場合には、溶接の継続可否を判断する必要があるものとして、通知を行う。この通知は、溶接特徴量Ｐの検出異常を通知するものである。例えばオペレータなどに向けたものであっても良く、ディスプレイなどへの異常通知メッセージの出力や、音や音声による通知であっても良い。検出異常判定部２３は、この通知と共に、溶接を停止させるための命令を溶接実行装置８に自動で送信しても良い。
【０１１２】
これについて図５を用いて説明する。図５は、本発明の一実施形態に係る実相対位置決定部２の異常制御周期Ｔｆ時の動作を説明するための図であり、異常制御周期Ｔｆ時の所定期間Ｒだけ前に正常制御周期Ｔｓが存在しない場合を示す。図５に示す実施形態では、Ｐｎ−１番目の制御周期Ｔが正常制御周期Ｔｓであり、それ以降（Ｐｎ番目〜Ｐｎ＋ｍ−１番目）が異常制御周期Ｔｆであったとする。この場合、実相対位置決定部２（溶接特徴量検出部２２）は、ｎ番目〜ｎ＋ｍ−１番目の異常制御周期Ｔｆで取得された撮影画像Ｖからは溶接特徴量Ｐが検出できない。また、ｎ＋ｍ番目の制御周期Ｔは、正常制御周期Ｔｓまたは異常制御周期Ｔｆのいずれであったとしても、上記の所定期間Ｒを超えている。よって、検出異常判定部２３は、ｎ＋ｍ−１番目の制御周期Ｔが終わった時点以降に上記の通知を行う。また、この通知と共に、上述した溶接を停止の命令を送信しても良い。なお、図５のＰｎ＋１〜Ｐｎ＋ｍ−１番目の異常制御周期Ｔｆでは、上述したように、以前の正常制御周期Ｔｓにおける溶接特徴量Ｐを代用しても良い。
【０１１３】
溶接特徴量Ｐは時間の経過に伴って変化するが、上記の所定期間Ｒは、溶接特徴量Ｐの変化がある場合でも、制御をせずに溶接を継続可能な期間であり、この期間の経過後は通知を行う。これによって、溶接を可能な限り継続しつつ、溶接の信頼性の向上を図ることができる。
【０１１４】
また、例えば、電極８２は、開先（溶接対象物９の壁）の形状が急に変化することは稀であることから、制御をせずに溶接が継続可能であると見込める期間が比較的長いのに対し、溶接ワイヤ８ｗはリールに巻かれた状態のものを引き出しながら使うため、溶接ワイヤ８ｗの位置が急に変化する場合があり、検出異常の直前の撮影画像Ｖの位置から変化し易く、制御をせずに溶接が継続可能であると見込める期間が比較的短い。このように、上記の所定期間Ｒを溶接特徴量Ｐに応じて定めることにより、溶接特徴量Ｐに含まれる各種特徴量の検出異常時に適した溶接の継続を行うことができる。
【０１１５】
また、幾つかの実施形態では、図３Ａ〜図３Ｂ、図７に示すように、溶接制御装置１は、溶接の不具合事象を検出した場合に、目標相対位置決定部３によって決定された目標相対位置Ｒｔを補正する目標位置補正部６を、さらに備えても良い。図７に示す実施形態では、目標相対位置決定部３が出力する目標相対位置Ｒｔが位置制御要否判定部４に入力される前に、目標位置補正部６が溶接の不具合事象を検出した場合に出力する補正量が、目標相対位置Ｒｔを補正するようになっている。目標位置補正部６による目標相対位置Ｒｔの補正が行われた場合には、補正後の目標相対位置Ｒｔ´と、実相対位置Ｒｒとが位置制御要否判定部４に入力される。
【０１１６】
また、上記の溶接の不具合事象は、例えば、溶接ワイヤ８ｗの先端が溶融池８ｍに入っていない場合に生じる溶滴や、溶接ワイヤ８ｗの先端が溶融池８ｍの底となる溶接対象物９に衝突するつっつきといった事象である。溶滴は、溶接ワイヤ８ｗのそり癖等により先端が上方向に浮き上がり、溶融池８ｍ中に挿入されてない状態でアーク熱で溶接ワイヤ８ｗの先端が溶融することにより溶融池８ｍに落下する、溶接ワイヤ８ｗが溶融した液相の玉状の金属である。例えば撮影画像Ｖの画像処理などにより溶滴を検出することによって、溶接ワイヤ８ｗの先端が溶融池８ｍよりも上方向に浮き上がっている状態を検出可能である。溶接ワイヤ８ｗのそり癖等により先端が溶融池８ｍよりも上方向に浮き上がると、溶接ワイヤ８ｗが溶融しきれず電極８２に衝突する可能性がある。溶接ワイヤ８ｗが電極８２に衝突すると、電極８２と溶接ワイヤ８ｗとが短絡してアーク放電が中断される場合や、電極８２が破損する可能性がある。
【０１１７】
このように、溶接ワイヤ８ｗの先端が溶融池８ｍに入っていない場合に生じる溶滴が発生した場合には、溶接ワイヤ８ｗの先端と溶融池８ｍとが接触した状態にする必要があることから、下方向に移動させる必要がある。また、溶接ワイヤ８ｗの先端が溶融池８ｍの底となる溶接対象物９に衝突するつっつきが生じた場合には、衝突しないように、上方向に移動させる必要がある。
【０１１８】
そして、このような溶接の不具合事象の検出時の溶接ワイヤ８ｗの位置制御と、上述した、実相対位置Ｒｒが目標相対位置Ｒｔになるようにするための溶接ワイヤ８ｗの位置制御を別々に行うと、一方が下方向への制御を行おうとし、他方が上方向への制御を行おうとするなど、互いに逆方向に制御を行おうとする結果、制御ハンチングが生じる可能性がある。
このため、図７に示すように、溶接の不具合事象に基づいて目標相対位置Ｒｔを補正するようにすることにより、上述したようなハンチングの発生を回避することができる。
【０１１９】
以下、上述した溶接制御装置１（溶接制御プログラム）に対応した溶接制御方法について、図８を用いて説明する。図８は、本発明の一実施形態に係る溶接制御方法を示す図である。
溶接制御方法は、溶接対象物９の溶接に用いられる溶接ワイヤ８ｗ、又は溶接ワイヤ８ｗを溶融させるための電極８２の少なくとも一方を含む位置制御対象８Ｔの位置を制御する方法である。図８に示すように、溶接制御方法は、実相対位置決定ステップ（Ｓ１）（実位置決定ステップ）と、目標相対位置決定ステップ（Ｓ２）（目標位置決定ステップ）と、位置制御ステップ（Ｓ４）と、を備える。また、溶接制御方法は、図８に示すように、位置制御要否判定ステップ（Ｓ３）を備えていても良い。
図８を用いてステップ順に溶接制御方法を説明する。なお、図８のフローは、溶接施工時に例えば周期的などに繰返し行われる。
【０１２０】
図８のステップＳ１において、実相対位置決定ステップを実行する。実相対位置決定ステップ（Ｓ１）は、撮影画像Ｖに基づいて、上述した実相対位置Ｒｒを決定するステップである。実相対位置決定ステップ（Ｓ１）は、既に説明した実相対位置決定部２が実行する処理内容と同様であるため、詳細は省略する。図８に示す実施形態では、ステップＳ１１において、上述した撮影部８３から撮影画像Ｖを取得し（撮影画像取得ステップ）、ステップＳ１２において、撮影画像Ｖから上述した溶接特徴量Ｐを検出し（溶接特徴量検出ステップ）、ステップＳ１３において、溶接特徴量Ｐに基づいて、上記の実相対位置Ｒｒを算出するようになっている（算出ステップ）。
【０１２１】
この際、幾つかの実施形態では、上記の溶接特徴量検出ステップ（ステップＳ１２）による溶接特徴量Ｐの検出異常を判定する検出異常判定部ステップ（不図示）を、さらに有していても良い。検出異常判定部ステップは、既に説明した検出異常判定部２３が実行する処理内容と同様であるため、詳細は省略する。
【０１２２】
ステップＳ２において、目標相対位置決定ステップを実行する。目標相対位置決定ステップ（Ｓ２）は、上述した目標相対位置Ｒｔを決定するステップである。目標相対位置決定ステップ（Ｓ２）は、既に説明した目標相対位置決定部３が実行する処理内容と同様であるため、詳細は省略するが、幾つかの実施形態では、上述した機械学習を用いた手法により、目標相対位置Ｒｔを決定しても良い。
【０１２３】
ステップＳ３において、位置制御要否判定ステップを実行する。位置制御要否判定ステップ（Ｓ３）は、目標相対位置Ｒｔと実相対位置Ｒｒとの差異に基づいて、位置制御対象８Ｔの位置制御の要否を判定するステップである。位置制御要否判定ステップ（Ｓ３）は、既に説明した位置制御要否判定部４が実行する処理内容と同様であるため、詳細は省略する。図８に示す実施形態では、ステップＳ３１において、目標相対位置Ｒｔと実相対位置Ｒｒとの差異が、上述した制御不感帯を逸脱したか否かを判定し、制御不感帯を逸脱したと判定した場合に、位置制御対象８Ｔの位置制御を必要と判定し、次のステップＳ４に進む。逆に、ステップＳ３１において、目標相対位置Ｒｔと実相対位置Ｒｒとの差異が、制御不感帯を逸脱していないと判定した場合に、位置制御対象８Ｔの位置制御を不要と判定し、フローを終了する。
【０１２４】
ステップＳ４において、位置制御ステップを実行する。位置制御ステップ（Ｓ４）は、上述した実相対位置決定ステップ（Ｓ１）によって決定された実相対位置Ｒｒを、上述した目標相対位置決定ステップ（Ｓ２）によって決定された目標相対位置Ｒｔにするための位置制御対象８Ｔの位置制御を実行するステップである。位置制御ステップ（Ｓ４）は、既に説明した位置制御部５が実行する処理内容と同様であるため、詳細は省略する。
【０１２５】
また、幾つかの実施形態では、上記の溶接制御方法は、溶接の不具合事象を検出した場合に、目標相対位置決定ステップ（Ｓ２）によって決定された目標相対位置Ｒｔを補正する目標位置補正ステップを、さらに備えても良い。目標位置補正ステップは、既に説明した目標位置補正部６が実行する処理内容と同様であるため、詳細は省略する。なお、目標相対位置決定ステップ（Ｓ２）は、図８のステップＳ２とステップＳ３との間で実施されると良い（図７参照）。
【０１２６】
本発明は上述した実施形態に限定されることはなく、上述した実施形態に変形を加えた形態や、これらの形態を適宜組み合わせた形態も含む。
【符号の説明】
【０１２７】
１      溶接制御装置
１０    溶接制御プログラム
ｍ      記憶装置
２      実相対位置決定部
２１    撮影画像取得部
２２    溶接特徴量検出部
２３    検出異常判定部
２４    算出部
３      目標相対位置決定部
３１    溶接条件取得部
３２    条件ベース目標決定部
３４    位置ベース目標決定部
４      要否判定部
５      位置制御部
６      目標位置補正部
７      溶接装置
８      溶接実行装置
８Ｔ    位置制御対象
８１    ワイヤ送り機構
８２    電極
８３    撮影部
８ｍ    溶融池
８ｗ    溶接ワイヤ
９      溶接対象物
９１    開先（溶接対象物）
Ｃ      溶接条件
Ｐ      溶接特徴量
Ｐｍ    溶融池位置
Ｐｗ    ワイヤ位置
Ｐｂ    開先位置
Ｐｅ    電極位置
Ｒｒ    実相対位置
Ｒｔ    目標相対位置
Ｓ      定数
Ｖ      撮影画像
Ｔ      制御周期
Ｔｆ    異常制御周期
Ｔｓ    正常制御周期
【図１】
2019188437.tif 000003
【図２】
2019188437.tif 000004
【図３Ａ】
2019188437.tif 000005
【図３Ｂ】
2019188437.tif 000006
【図４】
2019188437.tif 000007
【図５】
2019188437.tif 000008
【図６】
2019188437.tif 000009
【図７】
2019188437.tif 000010
【図８】
2019188437.tif 000011